(57)【要約】【課題】  イルミネーション機能を備えた液晶表示装置を提供することを目的とする。【解決手段】  液晶パネル３１を有する液晶モジュール３と、この液晶モジュール３を内部に収納するケース７とを備え、ケース７は、フロントケース７１と、リアケース７２とから形成された液晶表示装置１において、液晶パネル３１は、画像を表示する表示領域３１ａと、この表示領域３１ａの外周に位置し、画像を表示しない非表示領域３２ｂとを有し、フロントケース７１は、側面部７３と、液晶パネル３１の前面側に位置して非表示領域３１ｂを覆うとともに、表示領域３１ａを露出する開口窓Ｗを有する前面部７４とから形成し、前面部７４は、非表示領域３１ｂに対向する部分に、光Ｌを反射する反射面７４ａを、側面部７３は、その前面に反射面７４ａからの光Ｌが投射される投射面７３ａを設け、投射面７３ａに光Ｌを投射してイルミネーションとして構成する。【選択図】図４
2008292526.tif 000002
【特許請求の範囲】
【請求項１】
バックライトからの光により画像を表示する液晶パネルを有する液晶モジュールと、この液晶モジュールを内部に収納するケースとを備え、前記ケースは、フロントケースと、リアケースとから形成された液晶表示装置において、
前記液晶パネルは、前記画像を表示する表示領域と、この表示領域の外周に位置し、前記画像を表示しない非表示領域とを有し、前記フロントケースは、前記液晶モジュールの側面を囲繞する側面部と、前記液晶パネルの前面側に位置して前記非表示領域を覆うとともに、前記表示領域を露出する開口窓を有する前面部とから形成し、前記前面部は、前記非表示領域に対向する部分に、当該非表示領域からの光を反射する反射面を、前記側面部は、その前面に前記反射面からの光が投射される投射面を、更に備え、前記投射面に前記非表示領域からの光を投射してイルミネーションとして構成したことを特徴とする液晶表示装置。
【請求項２】
バックライトからの光により画像を表示する液晶パネルを有する液晶モジュールと、この液晶モジュールを内部に収納するケースとを備え、前記ケースは、フロントケースと、リアケースとから形成された液晶表示装置において、
前記ケース内に、前記液晶モジュールを制御する制御手段を、更に備え、前記液晶パネルは、前記画像を表示する表示領域と、この表示領域の外周に位置し、前記画像を表示しない非表示領域とを有し、前記フロントケースは、前記液晶モジュールの側面を囲繞する側面部と、前記液晶パネルの前面側に位置して前記非表示領域を覆うとともに、前記表示領域を露出する開口窓を有する前面部とから形成し、前記前面部は、前記非表示領域に対向する部分に、当該非表示領域からの光を反射する反射面を、前記側面部は、その前面に前記反射面からの光が投射される投射面を、備え、前記制御手段により、前記非表示領域を制御して、前記投射面に前記非表示領域からの光を投射してイルミネーションとして構成したことを特徴とする液晶表示装置。
【請求項３】
前記液晶モジュールは、前記液晶パネルを挟み込む枠状のベゼルを備え、前記前面部の反射面は、前記非表示領域からの光が、前記投射面に投射されるように傾斜され、これら前面部と、前記ベゼルとにより、前記非表示領域からの光を前記投射面に導く光路を形成したことを特徴とする請求項１または請求項２に記載の液晶表示装置。
【請求項４】
前記反射面は、前記非表示領域からの光を反射する反射色に形成されていることを特徴とする請求項１乃至請求項３のいずれかに記載の液晶表示装置。
【請求項５】
バックライトからの光により画像を表示する液晶パネルを有する液晶モジュールと、アンテナを介して受信したテレビジョン放送信号の中から、ユーザにより設定入力されたチャンネルの放送信号の選局・復調を行って、映像信号・音声信号を出力するテレビジョン受信手段と、このテレビジョン受信手段を統括して制御するとともに、リモート・コントローラからの種々のコマンド信号に応じて各部に制御信号を発して所定の動作を行わせる制御手段と、これら液晶モジュール、テレビジョン受信手段および制御手段を内部に収納するケースとを備え、前記ケースは、フロントケースと、リアケースとから形成された液晶テレビジョンにおいて、
前記液晶パネルは、前記画像を表示する表示領域と、この表示領域の外周に位置し、前記画像を表示しない非表示領域とを有し、前記フロントケースは、前記液晶モジュールの側面を囲繞する側面部と、前記液晶パネルの前面側に位置して前記非表示領域を覆うとともに、前記表示領域を露出する開口窓を有する前面部とから形成し、前記前面部は、前記非表示領域に対向する部分に、当該非表示領域からの光を反射する反射面を、前記側面部は、その前面に前記反射面からの光が投射される投射面を、前記制御手段は、前記非表示領域を制御する機能を、更に備え、前記制御手段により、前記非表示領域を制御して、前記投射面に前記非表示領域からの光を投射してイルミネーションとして構成したことを特徴とする液晶テレビジョン。
【発明の詳細な説明】
【技術分野】
【０００１】
本発明は、液晶モジュールを備えた液晶表示装置および液晶テレビジョンに関し、例えば、この種薄液晶表示装置を強調することができるようにイルミネーションを付加した液晶表示装置および液晶テレビジョンを提供することにある。
【背景技術】
【０００２】
近年、液晶モジュールの薄型化および表示画面の大型化が進み、従来のＣＲＴに代わって液晶モジュールを備えた液晶表示装置および液晶テレビジョンが急速に普及しつつある。このような液晶表示装置にあっては、液晶表示装置を強調し、画面上に注目させる演出効果をより高めるために、或いは、美的感覚に訴えるために、イルミネーション機能を備えたものが要望されている。
【０００３】
従来、例えば、液晶ディスプレの表示部の外周部にリング状の照明を行うために、液晶ディスプレの外周部に光が透過する透光部を設け、当該透光部に対応した位置に、当該透光部用のバックライトを設けたものがある(例えば、特許文献１参照）。
【特許文献１】特開２００６−５８３８１号公報
【発明の開示】
【発明が解決しようとする課題】
【０００４】
しかし、前述の特許文献１記載の構成では、液晶ディスプレの表示部用のバックライトとは別に、リング状の照明を行うためのバックライトが、別途必要であり、部品点数が増加し、勢いこの種液晶表示装置の価格が高騰するなどといった問題がある。
【０００５】
本発明は、上述した問題を解決するためになされたものであり、特別にイルミネーション用のバックライトを設けることなく、イルミネーション機能を備えた液晶表示装置および液晶テレビジョンを提供することを目的とする。
【課題を解決するための手段】
【０００６】
かかる目的を達成するため、本発明では、バックライトからの光により画像を表示する液晶パネルを有する液晶モジュールと、この液晶モジュールを内部に収納するケースとを備え、ケースは、フロントケースと、リアケースとから形成された液晶表示装置において、液晶パネルは、画像を表示する表示領域と、この表示領域の外周に位置し、画像を表示しない非表示領域とを有し、フロントケースは、液晶モジュールの側面を囲繞する側面部と、液晶パネルの前面側に位置して非表示領域を覆うとともに、表示領域を露出する開口窓を有する前面部とから形成し、前面部は、非表示領域に対向する部分に、当該非表示領域からの光を反射する反射面を、側面部は、その前面に反射面からの光が投射される投射面を、更に備え、投射面に非表示領域からの光を投射してイルミネーションとして構成する。
【０００７】
この構成によれば、液晶モジュールのバックライトを用いて液晶パネルの非表示領域からの光を、前面部の反射面により反射させ、フロントケースの側面部の投射面に投射してイルミネーションとしているので、イルミネーション用のために、特別にバックライトを用いる必要がない。従って、この種液晶表示装置の部品点数の削減を図りつつ、価格の高騰を抑制することができる。
【０００８】
また、本発明においては、バックライトからの光により画像を表示する液晶パネルを有する液晶モジュールと、この液晶モジュールを内部に収納するケースとを備え、ケースは、フロントケースと、リアケースとから形成された液晶表示装置において、ケース内に、液晶モジュールを制御する制御手段を、更に備え、液晶パネルは、画像を表示する表示領域と、この表示領域の外周に位置し、画像を表示しない非表示領域とを有し、フロントケースは、液晶モジュールの側面を囲繞する側面部と、液晶パネルの前面側に位置して非表示領域を覆うとともに、表示領域を露出する開口窓を有する前面部とから形成し、前面部は、非表示領域に対向する部分に、当該非表示領域からの光を反射する反射面を、側面部は、その前面に反射面からの光が投射される投射面を、備え、制御手段により、非表示領域を制御して、投射面に非表示領域からの光を投射してイルミネーションとして構成する。
【０００９】
この構成によれば、制御手段により、液晶モジュールのバックライトを用いて液晶パネルの非表示領域からの光を、前面部の反射面により反射させ、フロントケースの側面部の投射面に投射してイルミネーションとしているので、イルミネーション用のために、特別にバックライトを用いる必要はない。従って、この種液晶表示装置の部品点数の削減を図りつつ、価格の高騰を抑制することができる。また、液晶モジュールは、制御手段により制御されているので、所望のイルミネーションとしての演出効果をより高め、或いは、美的感覚に訴えることができるなどといった効果を奏する。
【００１０】
また、本発明においては、液晶モジュールは、液晶パネルを挟み込む枠状のベゼルを備え、前面部の反射面は、非表示領域からの光が、投射面に投射されるように傾斜され、これら前面部と、ベゼルとにより、非表示領域からの光を投射面に導く光路を形成する。
【００１１】
この構成によれば、非表示領域からの光を、前面部と、ベゼルとにより形成された光路を通じて側面部の投射面に導いている。従って、当該非表示領域からの光は、表示パネルの表示領域に表示される画像に悪影響を与えることがないので、都合がよい。
【００１２】
また、本発明においては、反射面は、非表示領域からの光を反射する反射色に形成する。この構成によれば、反射面は、非表示領域からの光を反射する反射色に形成されているので、当該非表示領域からの光を効率よく反射することができ、都合がよい。
【００１３】
更に、本発明においては、バックライトからの光により画像を表示する液晶パネルを有する液晶モジュールと、アンテナを介して受信したテレビジョン放送信号の中から、ユーザにより設定入力されたチャンネルの放送信号の選局・復調を行って、映像信号・音声信号を出力するテレビジョン受信手段と、このテレビジョン受信手段を統括して制御するとともに、リモート・コントローラからの種々のコマンド信号に応じて各部に制御信号を発して所定の動作を行わせる制御手段と、これら液晶モジュール、テレビジョン受信手段および制御手段を内部に収納するケースとを備え、ケースは、フロントケースと、リアケースとから形成された液晶テレビジョンにおいて、液晶パネルは、画像を表示する表示領域と、この表示領域の外周に位置し、画像を表示しない非表示領域とを有し、フロントケースは、液晶モジュールの側面を囲繞する側面部と、液晶パネルの前面側に位置して非表示領域を覆うとともに、表示領域を露出する開口窓を有する前面部とから形成し、前面部は、非表示領域に対向する部分に、当該非表示領域からの光を反射する反射面を、側面部は、その前面に反射面からの光が投射される投射面を、制御手段は、非表示領域を制御する機能を、更に備え、制御手段により、非表示領域を制御して、投射面に非表示領域からの光を投射してイルミネーションとして構成する。
【００１４】
この構成によれば、液晶モジュールのバックライトを用いて液晶パネルの非表示領域からの光を、前面部の反射面により反射させ、フロントケースの側面部の投射面に投射してイルミネーションとしているので、イルミネーション用のために、特別にバックライトを用いる必要はない。従って、この種液晶テレビジョンの部品点数の削減を図りつつ、価格の高騰を抑制することができる。また、液晶モジュールは、制御手段により制御されているので、所望のイルミネーションとしての演出効果をより高め、或いは、美的感覚に訴えることができるなどといった効果を奏する。
【発明の効果】
【００１５】
本発明によれば、イルミネーション機能を付加した液晶表示装置および液晶テレビジョンを得ることができる。
【発明を実施するための最良の形態】
【００１６】
以下、本発明の一実施形態を図１乃至図５に基づいて説明する。図１は、本発明の一実施形態に係る液晶表示装置の一例である薄型の液晶テレビジョンのブロック構成を示すブロック図である。図２は、図１に示す液晶テレビジョンの概略構成を示す正面図、図３は、図２に示す液晶テレビジョンの側面図である。図４は、図２に示す液晶テレビジョンの要部を拡大してします概略断面図である。図５は、図４に示す液晶モジュールの液晶パネルの一例を示す正面図である。
【００１７】
図１に示すように、例えば、液晶表示装置であるアナログ式の液晶テレビジョン１は、テレビジョン受信手段２と、このテレビジョン受信手段２からの出力信号に基づいて画像情報を表示する液晶モジュール３と、テレビジョン受信手段２からの出力信号に基づいて音声を発するスピーカ４と、テレビジョン受信手段２などを統括して制御する制御手段５と、各部に電力を供給する電源部６と、これらテレビジョン受信手段２、液晶モジュール３、スピーカ４、制御手段５および電源部６などを収納するケース７、とから構成されている。
【００１８】
テレビジョン受信手段２は、アンテナＡを介して受信したテレビジョン放送信号の中から、ユーザにより設定入力されたチャンネルの放送信号の選局・復調を行って、映像信号・音声信号を出力する。このテレビジョン受信手段２は、例えば、アンテナＡで受信したアナログの映像信号・音声信号を中間周波数に変換するチューナ２１と、その中間周波数を増幅するＩＦ増幅部２２と、ＩＦ増幅部２２から出力される映像信号を検波する映像検波部２３と、同じく、ＩＦ増幅部２２から出力される音声信号を検波する音声検波部２４とから構成されている。
【００１９】
液晶モジュール３は、例えば、図４に示すように、厚みの薄い略矩形状の液晶パネル３１と、この液晶パネル３１を挟み込む、例えば、金属製の枠状のベゼル３２と、このベゼル３２と液晶パネル３１との間に配設されるバックライト３３と、このバックライト３３とベゼル３２との間に配設される反射板３４などから構成されている。また、ケース７は、図２および図３に示すように、フロントケース７１と、リアケース７２とから形成され、フロントケース７１のフロント側には、矩形状の開口窓Ｗが形成され、開口窓Ｗには、液晶パネル３１が嵌め込まれ、この液晶パネル３１の表示面に映像などを表示することが可能となっている。
【００２０】
制御手段５は、テレビジョン受信手段２を統括して制御するマイクロコンピュータから構成されている。この制御手段５は、リモート・コントローラ受信部８を介して入力されるリモート・コントローラＲからの種々のコマンド信号に応じて各部に制御信号を発して所定の動作を行わせることが可能であり、例えば、テレビジョン受信とは関係なく、後述するように、液晶モジュール３を制御することができる機能を備えている。また、この制御手段５は、例えば、図４に示すように、ベゼル３２に取り付けられた基板３５にその一部または全部を装着しても良いのは、勿論である。
【００２１】
かかる構成により、ユーザは、例えば、リモート・コントローラＲを用いて、液晶テレビジョン１を操作し、所望のチャンネルに合わせることにより、液晶モジュール３の液晶パネル３１に表示される画像を観ることができ、同時にスピーカ４から音声を聴くことができる。
【００２２】
而して、本発明に従い、図２、図４および図５に示すように、液晶パネル３１は、前述したように画像を表示するためにフロントケース７１の開口窓Ｗに臨み、当該部分を露出する表示領域３１ａと、この表示領域３１ａの外周に位置し、画像を表示しない非表示領域３１ｂとをから形成されている。
【００２３】
また、フロントケース７１は、液晶モジュール３の側面を囲繞する側面部７３と、液晶パネル３１の前面側に位置して非表示領域３１ｂを覆うとともに、前述したように表示領域３１ａを露出する開口窓Ｗを有する前面部７４とから形成されている。また、前面部７４の液晶パネル３１の非表示領域３１ｂに対向する部分には、当該非表示領域３１ｂからの光Ｌを反射する反射面７４ａが形成されている。また、側面部７３には、その前面に反射面７４ａからの光Ｌが投射される投射面７３ａが前面側に傾斜するように形成されている。また、前面部７４の反射面７４ａは、非表示領域３１ｂからの光Ｌが、投射面７３ａに投射されるように傾斜され、前面部７４と、ベゼル３２の一部により、非表示領域３１ｂからの光Ｌを投射面７３ａに導く光路９が形成されている。また、前面部７４は、図示する例では、ベゼル３２に複数本の支持棒１０により支持されているが、前面部７４を、側面部７３に、図示しない連結枠などにより一体的に形成しても良いのは、勿論である。
【００２４】
反射面７４ａは、例えば、白色や銀色などの非表示領域３１ｂからの光Ｌを反射する反射色に形成されている。このような反射色は、例えば、反射面７４ａに前述したような反射色の塗料を塗布したり、反射色のテープ或いはアルミニューム箔などを貼り付けたり、更には、反射色となるように、薄膜を形成するようにすればよい。また、同様に、投射面７３ａも、適宜、反射色としても良い。この場合、必要に応じて、投射面７３ａは、細かいエンボス処理を施しても良いのは、勿論である。このように、反射面７４ａを反射色に形成すると、非表示領域３１ｂからの光Ｌを効率よく反射することができ、都合がよい。また、同様に、投射面７３ａも、反射色や更には、エンボス処理を施すと、よりイルミネーション効果を発揮できるので、都合がよい。
【００２５】
以上の構成により、投射面７３ａに非表示領域３１ｂからの光Ｌを投射してイルミネーションとして機能させるには、液晶テレビジョン１の、例えば、図示しない電源を入れ、リモート・コントローラＲを操作して、イルミネーションを表示するようにその色彩などを設定する。これにより、制御手段５は、テレビジョン受信とは関係なく、液晶モジュール３の液晶パネル３１の非表示領域３１ｂを制御し、バックライト３３が点灯していない場合には、バックライト３３を点灯して当該非表示領域３１ｂを設定された色彩となるように、Ｒ（赤）、Ｇ（緑）、Ｂ（青）の単色、或いは複数色を発光する。この発光された光Ｌは、反射面７４ａに照射され、反射面７４ａを反射して光路９を経由して投射面７３ａに投射される。これにより、投射面７３ａは、設定された色彩に輝き、イルミネーションとしての効果を奏する。
【００２６】
また、イルミネーションとして発光させる非表示領域３１ｂの領域は、図４および図５に示すように、非表示領域３１ｂの全域でなく、ベゼル３２に当接した部分より外周部分３１ｃを除き、発光するようにすれば良い。この外周部分３１ｃは、通常、液晶パネル３１を駆動するための駆動回路（ＩＣ搭載基板）が装着されている。また、図示する例では、非表示領域３１ｂの上下左右の全てをイルミネーションとして利用する場合について説明したが、非表示領域３１ｂの上下左右のいずれか一部のみをイルミネーションとして機能するようにしても良い。更に、制御手段５により、非表示領域３１ｂの上下左右の表示時間を制御して、断続的にイルミネーションとして機能させるようにしても良いのは、勿論である。
【００２７】
以上の構成による本実施形態によれば、液晶テレビジョン１において、制御手段５により、液晶モジュール３のバックライト３３を用いて、液晶モジュール３の液晶パネル３１の非表示領域３１ｂからの光Ｌを、前面部７４の反射面７４ａにより反射させ、フロントケース７１の側面部７３の投射面７３ａに投射してイルミネーションとしているので、イルミネーション用のために、特別にバックライトを用いる必要はない。従って、液晶モジュール３の部品点数の削減を図りつつ、液晶テレビジョン１の価格の高騰を抑制することができる。
【００２８】
また、本実施形態によれば、液晶モジュール３を制御手段５により制御することにより、所望のイルミネーションとしての演出効果をより高め、或いは、美的感覚に訴えることができるなどといった効果を奏する。
【００２９】
また、本実施形態よれば、非表示領域３１ｂからの光Ｌを、前面部７４と、ベゼル３２とにより形成された光路９を通じて側面部７３の投射面７３ａに導いている。従って、非表示領域３１ｂからの光Ｌは、表示パネル３１の表示領域３１ａに表示される画像に悪影響を与えることがないので、都合がよい。
【００３０】
更に、本実施形態よれば、反射面７４ａは、非表示領域３１ｂからの光Ｌを反射する反射色に形成されているので、当該非表示領域３１ｂからの光Ｌを効率よく反射することができ、都合がよい。
【００３１】
なお、上述した各実施形態は、本発明の好適な実施例であるが、本発明はこれに限定されるものではなく、本発明の要旨を逸脱しない範囲において、種々変形実施可能である。
【００３２】
例えば、上述した実施形態では、液晶表示装置を薄型テレビジョンに用いた場合について詳述したが、携帯電話、電気式卓上計算器、ＩＴ情報機器などの液晶表示装置を用いた他の装置に本発明を適用してもよいのは、勿論である。
【００３３】
更には、上述した実施形態では、アナログ放送を受信するアナログ式の薄型テレビジョン１について説明したが、これに換えて、地上波のＵＨＦ帯を使用して開始された地上波デジタル放送を受信するようにした、所謂、地デジ式の薄型テレビジョンに適用しても良いのは、勿論である。
【図面の簡単な説明】
【００３４】
【図１】本発明の一実施形態に係る液晶表示装置の一例である薄型の液晶テレビジョンのブロック構成を示すブロック図である。
【図２】図１に示す液晶テレビジョンの概略構成を示す正面図である。
【図３】図２に示す液晶テレビジョンの側面図である。
【図４】図２に示す液晶テレビジョンの要部を拡大してします概略断面図である。
【図５】図４に示す液晶モジュールの液晶パネルの一例を示す正面図である。
【符号の説明】
【００３５】
１      液晶テレビジョン（液晶表示装置）
２      テレビジョン受信手段
３      液晶モジュール
３１    液晶パネル
３１ａ  表示領域
３１ｂ  非表示領域
３２    ベゼル
３３    バックライト
５      制御手段
７      ケース
７１    フロントケース
７２    リアケース
７３    側面部
７３ａ  投射面
７４    前面部
７４ａ  反射面
９      光路
Ａ      アンテナ
Ｌ      光
Ｗ      開口窓
【図１】
2008292526.tif 000003
【図２】
2008292526.tif 000004
【図３】
2008292526.tif 000005
【図４】
2008292526.tif 000006
【図５】
2008292526.tif 000007